(57)【要約】【課題】  少量の現像剤を記録媒体全体に亘り均一に展開することができるプリンタを提供する。【解決手段】  インスタントフイルムシート１００１の両側部を挟んで搬送する搬送ローラ３１，３２と、その下流側に配備されてインスタントフイルムシート１００１を全幅に亘って挟んで現像剤溜り１００１ａを押し潰して現像剤を展開する展開ローラ３３，３４と、搬送ローラ３１，３２と展開ローラ３３，３４との間に位置し、搬送されてきたインスタントフイルムシート１００１の観察面１００１＿２に当接してその観察面１００１＿２を擦ることにより展開中の現像剤の展開パターンを制御する制御板３７と、制御板３７と展開ローラ３３，３４との間に位置し、搬送されてきたインスタントフイルムシート１００１を展開ローラ３３，３４に導く誘い板３８と、インスタントフイルムシート１００１をＳ字状に曲げるフイルムガイドフレーム３９とを備えた。【選択図】  図８
2005288962.tif 000002
【特許請求の範囲】
【請求項１】
所定の搬送方向先端部であって表裏面のうちの第１面に膨らんだ現像剤溜りを持ち露光により潜像が形成され前記現像剤溜りにある現像剤の展開を受けて顕像化された画像が記録される記録媒体を搬送しながら該記録媒体に光照射により潜像を書き込み前記現像剤溜りを押し潰して現像剤を展開することにより現像を行なうプリンタにおいて、
記録媒体両側部を挟んで該記録媒体を搬送する一対の搬送ローラと、
前記一対の搬送ローラよりも記録媒体搬送方向下流側に配備され、該記録媒体を全幅に亘って挟んで前記現像剤溜りを押し潰して現像剤を展開する一対の展開ローラと、
前記搬送ローラと前記展開ローラとの間に位置し、搬送されてきた記録媒体の第２面に当接し、搬送中の記録媒体の第２面を擦ることにより展開中の現像剤の展開パターンを制御する制御板と、
前記制御板と前記展開ローラとの間に位置し、搬送されてきた記録媒体を前記展開ローラに導く誘い板とを備えたことを特徴とするプリンタ。
【請求項２】
前記一対の展開ローラは、該一対の展開ローラによる記録媒体挟持位置が、前記一対の搬送ローラの記録媒体挟持位置よりも前記第２面側にオフセットした位置に配備されていることを特徴とする請求項１記載のプリンタ。
【請求項３】
前記制御板は、前記一対の搬送ローラと前記一対の展開ローラとの間をほぼ２分する位置に配備されてなることを特徴とする請求項１記載のプリンタ。
【請求項４】
前記一対の展開ローラよりも下流側において前記第２面に対して記録媒体を前記第１面側に傾けるガイド部を備えたことを特徴とする請求項１記載のプリンタ。
【発明の詳細な説明】
【技術分野】
【０００１】
本発明は、所定の搬送方向先端部であって表裏面のうちの第１面に膨らんだ現像剤溜りを持ち露光により潜像が形成され上記現像剤溜りにある現像剤の展開を受けて顕像化された画像が記録される記録媒体を搬送しながらその記録媒体に光照射により潜像を書き込み上記現像剤溜りを押し潰して現像剤を展開することにより現像を行なうプリンタに関する。
【背景技術】
【０００２】
上記のようなプリンタとして、インスタントフイルムシート上にカラー画像を記録するプリンタがある。インスタントフイルムシートは、所定の搬送方向先端部であって画像が露光される露光面に膨らんだ現像剤溜りを持ち、露光により潜像が形成されその現像剤溜りにある現像剤の展開を受けて顕像化された画像が上記露光面とは反対側の面に記録されるフイルムシートである。このプリンタは、上記インスタントフイルムシートを搬送しながらそのインスタントフイルムシートに光照射により潜像を書き込み上記現像剤溜りを押し潰して現像剤を展開することにより現像を行なう。
【０００３】
インスタントフイルムシート上に記録される画像の品質を高めるためには、光照射により潜像が書き込まれた後、現像剤溜りを押し潰して現像剤を均一に展開するように制御することが重要である。ここで、現像剤を均一に展開するための技術として、インスタントフイルムシートが積層されたフイルムパックのフイルム出口と現像剤を展開する展開ローラとの間に、インスタントフイルムシートの露光面での現像剤の分布を制御する制御部材を備えた技術が提案されている（特許文献１参照）。また、インスタントフイルムシートを搬送する搬送ローラと現像剤を展開する展開ローラとの間に、インスタントフイルムシートの表裏面双方に対して現像剤の分布を制御する制御部材を備えた技術も提案されている（特許文献２参照）。
【特許文献１】特開平１１−３１６４１２号公報
【特許文献２】米国特許第６３１７５６１Ｂ１号明細書
【発明の開示】
【発明が解決しようとする課題】
【０００４】
ここで、プリンタを薄型化するために、インスタントフイルムシートが有する現像剤溜りの現像剤の量を少なくして、複数枚のインスタントフイルムシートが積層されるインスタントフイルムシートパックの厚みを薄くすることが考えられる。しかし、このように現像剤の量が少ないインスタントフイルムシートに対して、そのインスタントフイルムシート全体に亘り均一に現像剤を展開することは、上述した特許文献１，２に提案された技術を採用した場合であっても困難であるという問題がある。
【０００５】
本発明は、上記事情に鑑み、少量の現像剤を記録媒体全体に亘り均一に展開することができるプリンタを提供することを目的とする。
【課題を解決するための手段】
【０００６】
上記目的を達成する本発明のプリンタは、所定の搬送方向先端部であって表裏面のうちの第１面に膨らんだ現像剤溜りを持ち露光により潜像が形成され上記現像剤溜りにある現像剤の展開を受けて顕像化された画像が記録される記録媒体を搬送しながらその記録媒体に光照射により潜像を書き込み上記現像剤溜りを押し潰して現像剤を展開することにより現像を行なうプリンタにおいて、
記録媒体両側部を挟んでその記録媒体を搬送する一対の搬送ローラと、
上記一対の搬送ローラよりも記録媒体搬送方向下流側に配備され、その記録媒体を全幅に亘って挟んで上記現像剤溜りを押し潰して現像剤を展開する一対の展開ローラと、
上記搬送ローラと上記展開ローラとの間に位置し、搬送されてきた記録媒体の第２面に当接し、搬送中の記録媒体の第２面を擦ることにより展開中の現像剤の展開パターンを制御する制御板と、
上記制御板と上記展開ローラとの間に位置し、搬送されてきた記録媒体を上記展開ローラに導く誘い板とを備えたことを特徴とする。
【０００７】
本発明のプリンタは、一対の搬送ローラで搬送されてきた記録媒体を一対の展開ローラに誘い板で導くものであるため、搬送されてきた、第１面に膨らんだ現像剤溜りを持つ記録媒体を、上記展開ローラに簡単に且つ精度よく導くことができる。従って、一対の展開ローラで記録媒体の現像剤溜りが十分に押し潰されて記録媒体上に展開する。さらに、記録媒体上に展開された現像剤は、上記第１面とは反対側の第２面に当接した制御板で擦られるため、少量の現像剤であっても、その現像剤を記録媒体全体に亘り均一に展開することができる。
【０００８】
ここで、上記一対の展開ローラは、その一対の展開ローラによる記録媒体挟持位置が、上記一対の搬送ローラの記録媒体挟持位置よりも上記第２面側にオフセットした位置に配備されていることが好ましい。
【０００９】
このようにすると、記録媒体がオフセットされた分だけ曲げられるため、現像剤溜りから記録媒体上に現像剤を展開しながら吐出するにあたり、現像剤を所定の厚みに展延する制御を簡単に行なうことができる。
【００１０】
また、上記制御板は、上記一対の搬送ローラと上記一対の展開ローラとの間をほぼ２分する位置に配備されてなることも好ましい態様である。
【００１１】
このような位置に制御板を配備すると、記録媒体上の、一対の搬送ローラと一対の展開ローラとの間における現像剤を、それら搬送ローラ，展開ローラそれぞれに対して均等に制御することができる。
【００１２】
さらに、上記一対の展開ローラよりも下流側において上記第２面に対して記録媒体を上記第１面側に傾けるガイド部を備えることも好ましい。
【００１３】
このようなガイド部を備えると、制御板による第２面への当接と相俟って記録媒体をＳ字状に曲げることができ、従って現像剤を記録媒体全体に亘り、より均一に展開することができる。
【発明の効果】
【００１４】
本発明のプリンタによれば、少量の現像剤を記録媒体全体に亘り均一に展開することができる。
【発明を実施するための最良の形態】
【００１５】
以下、本発明の実施形態について説明する。
【００１６】
図１は、本発明の一実施形態のプリンタを、斜め前方から見た斜視図である。
【００１７】
このプリンタ１は、携帯電話などと組み合わされて使用されるものであって、露光により潜像が形成され送り出しの際に現像剤が展開されて顕像化されるインスタントフイルムシートが複数枚（ここでは１０枚として説明する）積層されたインスタントフイルムパックが媒体装填室に装填され、そのインスタントフイルムシートを画像データに応じて露光して外部に送り出しながらそのインスタントフイルムシートに現像剤を展開するものである。このインスタントフイルムシートが本発明にいう記録媒体の一例に相当する。
【００１８】
携帯電話にはＩｒＤＡ（ＩｎｆＲａｒｅｄ  Ｄａｔａ  Ａｓｓｏｃｉａｔｉｏｎ）に準拠した赤外線通信を行なえるものがあり、この赤外線通信を使用して自分の持つ情報を他の情報機器へ送信することができ、カメラ付き携帯電話であれば、画像データをこのプリンタ１に送信することができる。このプリンタ１は、そのカメラ付き携帯電話で撮影された画像を表わす画像データまたはメールなどで携帯電話に送信されてきた画像データが赤外線通信を用いてこのプリンタ１に送信されてきたときに、その画像データに基づいてインスタントフイルムシート上に画像の記録を行なうものであり、さらにその送信された画像データに基づく画像の再記録を、携帯電話から再送信をわざわざ行なわなくても、後述するリピートスイッチを操作するという簡単な操作で別のインスタントフイルムシート上に行なえるものである。
【００１９】
このプリンタ１は、図１に示すように薄型で軽量かつ小型の構造を有する可搬型のプリンタであり、３Ｖ用の一次電池が２個内蔵される。このプリンタ１の筐体１ａ内にインスタントフイルムパックが装填され、そのインスタントフイルムパック内の、積層された１０枚のインスタントフイルムシート一枚一枚に画像の記録が行なわれる。
【００２０】
プリンタ１の筐体１ａの上面には操作ボタンとして、このプリンタ１の電源の投入および遮断を指示する電源スイッチ（以下、電源ＳＷと記述する）１１と、送信された画像データに基づく画像の再記録を行なうためのリピートスイッチ（以下、リピートＳＷと記述する）１２が設けられている。また、筐体１ａの上面には、インスタンフイルムシートの残り枚数を示すカウンタ１３が設けられている。このカウンタ１３は機械式のカウンタであり、未使用のインスタントフイルムパックが装填されると残り枚数が１０枚であることを示す数値‘１０’が表示される。以下、インスタントフイルムシートに画像の記録が行なわれる度に枚数が減算された残り枚数を示す数値が表示され、１０枚目のインスタントフイルムシートに画像の記録が行なわれると残り枚数が０枚であることを示す数値‘０’が表示される。尚、インスタントフイルムパックが抜かれた場合は、何も表示されないブランク状態となる。
【００２１】
また、このプリンタ１の端部には、送受信部１４が備えられている。この送受信部１４は、前述した赤外線通信により送信されてきた画像データを受信するとともに、受信された旨を相手側に知らせるための信号を送信する。
【００２２】
さらに、このプリンタ１の筐体１ａには、電源が投入されると点灯するとともに赤外線通信時に点滅する電源用ＬＥＤ１５、赤外線通信においてエラーが発生すると点灯する通信エラー用ＬＥＤ１６、および内蔵された電池電圧が低下するとユーザに電池交換を促すために点灯するローバッテリ表示用のＬＥＤ１７が設けられている。
【００２３】
また、プリンタ１の側面には、そのプリンタ１の下面側に設けられた後述するフイルムドアを開放するためのフイルムドア開放スイッチ１８が備えられており、コーナー部にはストラップ取付部１ｂが備えられている。
【００２４】
図２は、図１に示すプリンタにおいて、カメラ付き携帯電話からの画像データに基づいて画像が記録されたインスタントフイルムシートが排出される様子を示す図である。
【００２５】
カメラ付き携帯電話２の赤外線通信部をプリンタ１の送受信部１４に向けた状態で、そのカメラ付き携帯電話２を操作して、カメラ付き携帯電話２で撮影された画像を表わす画像データを赤外線通信を用いてこのプリンタ１に送信する。プリンタ１は、赤外線通信により送信されてきた画像データを受信し、その受信した画像データに基づく潜像の記録を露光によりインスタントフイルムシート１００１上に行ないながら、そのインスタントフイルムシート１００１を顕像しつつ、プリンタ１の送出口１９から外部へ徐々に排出する。その後、リピートＳＷ１２が操作されたときにも、その画像と同じ画像の再記録が別のインスタントフイルムシート上に行なわれる。
【００２６】
図３は、図１に示すプリンタの下面側を斜め上方から見た斜視図である。
【００２７】
このプリンタ１の下面側には、図２に示すフイルムドア開放スイッチ１８の操作により開放されるフイルムドア２０が設けられており、このフイルムドア２０が開けられ、インスタントフイルムパックが媒体装填室に装填される。また、フイルムドア２０には、インスタントフイルムパックが装填されているか否かを確認するためのパック在否確認窓２０ａが設けられている。さらに、フイルムドア２０に隣接して、このプリンタ１の電源となる電池を実装するために開放される電池蓋２１も設けられている。
【００２８】
図４は、図３に示すプリンタの、フイルムドアが開けられた状態の斜視図である。
【００２９】
フイルムドア２０の内側には、前述したパック在否確認窓２０ａと、バネ部材２０ｂ,２０ｃが設けられており、これらのバネ部材２０ｂ，２０ｃによってインスタントフイルムパック内に積層されたインスタントフイルムシートがプリンタ１の上面側に押圧される。
【００３０】
また、プリンタ１には、インスタントフイルムパックを装填するための媒体装填室２２が設けられている。媒体装填室２２外の、図４における右側には、搬送するインスタントフイルムシートに画像を書き込む画像書込部３００および媒体搬送部３０が設けられている。これら画像書込部３００および媒体搬送部３０の詳細については後述する。また、媒体装填室２２内の、図４における下方には、インスタントフイルムシートを画像書込部３００および媒体搬送部３０側に送り出させるための爪（クロー）２４が設けられている。このような構成によって、インスタントフイルムパック内のインスタントフイルムシートのうちの、プリンタ１の一番上面側にあるインスタントフイルムシートが爪２４で押し上げられて媒体搬送部３０で搬送されながら画像書込部３００で画像が書き込まれる。
【００３１】
図５は、プリンタ内部の制御系統を示す構成ブロック図である。
【００３２】
図５の右端側には、図１に示すプリンタ１の模式図が示されており、この右端部を除く全域に、このプリンタ１の制御系統を示す構成が示されている。尚、図５に示す矢印は、このプリンタ１における、制御系統を示す構成要素それぞれの配置関係を示す。
【００３３】
このプリンタ１には、メイン基板部１００と、サブ基板部２００と、画像書込部３００と、ＦＰＩ部４０１と、ＥＮＣＰＩ部４０２と、ＣＯＵＮＴＰＩ部４０３と、カムスイッチ４０４と、前述した送受信部１４に設けられたＩｒＤＡ送受信部４０５と、直流モータ４０６とが備えられている。
【００３４】
サブ基板部２００には、前述した電源ＳＷ１１，リピートＳＷ１２、および表示用ＬＥＤ部２０１が備えられている。表示用ＬＥＤ部２０１には、前述した電源用ＬＥＤ１５，通信エラー用ＬＥＤ１６，ローバッテリ表示用のＬＥＤ１７、およびカウンタ１３の裏側に設けられたカウンタバックライト用のＬＥＤ（図示せず）が備えられている。
【００３５】
画像書込部３００には、光ガイドや液晶シャッタ（ＬＣＳ）等を有する光ヘッド部３０１と、その光ヘッド部３０１とメイン基板部１００とを接続するフレキシブルケーブル３０２,３０３と、フレキシブルケーブル３０３に実装されたレッド（Ｒ）,グリーン（Ｇ）,ブルー（Ｂ）の発光色を持つ発光素子（ＬＥＤ）３０４,３０５,３０６とが備えられている。この画像書込部３００は、搬送途中のインスタントフイルムシートに、書込指示パルスに同期して送受信部１４により受信した画像データに基づいて、ＬＥＤ３０４,３０５,３０６からのＲ，Ｇ，Ｂの３つの色光を循環的に照射することにより、そのインスタントフイルムシートに潜像を書き込む。また、プリンタ１には、３Ｖ用の一次電池４０７が２個内蔵される。
【００３６】
以下、メイン基板部１００について説明する。メイン基板部１００には、直列接続された一次電池４０７からの６Ｖの電源電圧ＶＢが印加される。このメイン基板部１００には、ＭＰＵ（Ｍｉｃｒｏ  Ｐｒｏｃｅｓｓｏｒ  Ｕｎｉｔ）１０１と、発振子１０２と、リセット回路１０３と、フラッシュメモリ（ＦＬＡＳＨ）１０４と、ＳＤＲＡＭ１０５とが備えられている。
【００３７】
ＭＰＵ１０１は、このプリンタ１の動作を統括的に制御する。
【００３８】
発振子１０２は、所定の周波数の発振信号を生成してＭＰＵ１０１に動作用のクロック信号として供給する。
【００３９】
リセット回路１０３は、ＭＰＵ１０１の初期化を行なうためのリセット信号を出力する。
【００４０】
フラッシュメモリ１０４は、不揮発性のメモリであり、このフラッシュメモリ１０４には、プリンタ１固有の機構等に依存して定まる固体差調整用の調整値等が記憶される。
【００４１】
ＳＤＲＡＭ１０５は、揮発性のメモリであり、このＳＤＲＡＭ１０５には、カメラ付き携帯電話２からの画像データ等が記憶される。
【００４２】
また、このメイン基板部１００には、６Ｖの電源電圧ＶＢを入力して、２．５Ｖの電圧を出力する電源部１０６、３．３Ｖの電圧を出力する電源部１０７、および１５Ｖの電圧を出力するＤＣ／ＤＣコンバータ１０８が備えられている。さらに、ＭＰＵ１０１からの指示を受けてこれら電源部１０６，１０７，ＤＣ／ＤＣコンバータ１０８を制御する電源制御部１０９も備えられている。ここで、２．５Ｖの電圧はＭＰＵ１０１に供給されるとともに３．３Ｖの電圧はＭＰＵ１０１以外の周辺回路に供給される。また、１５Ｖの電圧は、後述するＬＣＤ駆動用として用いられる。
【００４３】
このプリンタ１では、一次電池４０７の長寿命化を図るために、低消費電力モードであるスタンバイモードを有するＭＰＵ１０１を備え、電源ＳＷ１２が押された場合であっても、ＭＰＵ１０１は、初期処理が終了した時点でスタンバイモードとなる。この状態で外部から赤外線通信が行なわれると、スタンバイモードから通常の動作モードに移行してインスタントフイルムシートに画像を記録し、速やかに通常の動作モードからスタンバイモードに移行する。また、リピートＳＷ１２が押された場合もインスタントフイルムシートに画像を記録した後はスタンバイモードになる。さらに、ＭＰＵ１０１が、各部に対して必要な動作時のみ電力を供給するように、電源制御部１０９を介して電源部１０６，１０７，ＤＣ／ＤＣコンバータ１０８を制御する。このようにすることにより、内蔵された一次電池４０７で長期に渡ってこのプリンタ１を使用することができる。
【００４４】
さらに、メイン基板部１００には、ＢＣ部１１０と、ＴＰＧ部１１１と、温度検出部１１２と、発振子１１３と、ＩｒＤＡ／ＬＣＳ制御部１１４と、ヘッドＬＥＤ駆動部１１５とが備えられている。
【００４５】
ＢＣ部１１０は、一次電池４０７の電源電圧ＶＢが所定の値よりも低下したか否かをチェックする。ＭＰＵ１０１は、このチェック結果を参照して一次電池４０７の電源電圧ＶＢが所定の値よりも低下していると判定した場合は、ユーザに電池交換を促すためにローバッテリ表示用のＬＥＤ１７を点灯する。
【００４６】
ＴＰＧ部１１１は、ＤＣ／ＤＣコンバータ１０８から出力される１５Ｖの電圧をオン，オフする。
【００４７】
温度検出部１１２は、画像書込部３００の温度を検出する。ＭＰＵ１０１は、この温度検出部１１２からの検出信号に応じて光学ヘッド部３０１内の液晶シャッタの各シャッタ部のシャッタスピード等を制御する。
【００４８】
発振子１１３は、所定の周波数の発振信号を生成してＩｒＤＡ／ＬＣＳ制御部１１４に供給する。
【００４９】
ＩｒＤＡ／ＬＣＳ制御部１１４は、発振子１１３からの発振信号に基づいてＩｒＤＡ送受信部４０５および光ヘッド部３０１を制御する。ＩｒＤＡ送受信部４０５には赤外線通信を行なうための投光素子および受光素子が備えられており、ＩｒＤＡ／ＬＣＳ制御部１１４は、上記受光素子で光電変換されたデータをＭＰＵ１０１に送ったり、ＭＰＵ１０１からその旨を外部の機器に知らせるためのデータを上記投光素子経由で外部に送信したりする。また、ＩｒＤＡ／ＬＣＳ制御部１１４は、ＭＰＵ１０１からの指示に基づいて、フレキシブルケーブル３０２を介して光ヘッド部３０１に備えられた液晶シャッタを制御する。
【００５０】
ヘッドＬＥＤ駆動部１１５は、ＭＰＵ１０１の指示に基づいた電流を、フレキシブルケーブル３０３を経由してＬＥＤ３０４，３０５，３０６に流すことにより、それらＬＥＤ３０４，３０５，３０６を駆動する。
【００５１】
本実施形態のプリンタ１は、インスタントフイルムシートを直流モータ４０６で所定の副走査方向（インスタントフイルムシートが送り出される方向）に送りながら、そのインスタントフイルムシート上にその副走査方向に関しＲ，Ｇ，Ｂの３色の色について循環的に書き込むとともに、その副走査方向に交わる主走査方向については、その主走査方向に並ぶ全画素について、同時に同じ色の書き込みを行なうことにより、そのインスタントフイルムシート上にカラー画像を記録するプリンタである。
【００５２】
カラー画像を記録するにあたり、画像書込部３００を構成する光学ヘッド部３０１には、フレキシブルケーブル３０２を介してＩｒＤＡ／ＬＣＳ制御部１１４から画像データに応じた制御信号が供給される。この制御信号は光学ヘッド部３０１内の液晶シャッタの各シャッタ部のシャッタスピードを制御するものである。この各シャッタ部のシャッタスピードが画像データに応じて制御され、フレキシブルケーブル３０３に備えられたＬＥＤ３０４，３０５，３０６からのＲＧＢそれぞれに対応する光がインスタントフイルムシート上に照射され、インスタントフイルムシートの幅方向に多数の光点（ドット）からなる潜像が記録される。この幅方向つまり一次元的に各シャッタ部が配列されている方向が、主走査方向である。従って、この各シャッタ部が主走査方向に電子的に走査されて１ライン分の光点（全画素）がインスタントフイルムシートシート上に記録される。この光学ヘッド部３０１の電子走査によってインスタントフイルムシートの主走査方向に多数のドットからなる光点が記録される。また、上述したように、本実施形態では、直流モータ４０６によりインスタントフイルムシートが副走査方向に送られている。従って、副走査方向についても画像書込部３００によって多数のドット毎に光点が順次記録されていくこととなる。
【００５３】
さらに、メイン基板部１００には、ＰＩ駆動部１１６が備えられている。このＰＩ駆動部１１６は、ＦＰＩ部４０１，ＥＮＣＰＩ部４０２，ＣＯＵＮＴＰＩ部４０３を駆動する。ここで、ＦＰＩ部４０１，ＥＮＣＰＩ部４０２，ＣＯＵＮＴＰＩ部４０３について説明する。
【００５４】
ＦＰＩ部４０１は、インスタントフイルムシートの有無を検出するためのフォトインタラプタである。
【００５５】
ＥＮＣＰＩ部４０２は、直流モータ４０６の回転に同期したパルス列からなるエンコード信号を出力するためのフォトインタラプタである。
【００５６】
ＣＯＵＮＴＰＩ部４０３は、カウンタ１３がリセット状態（インスタントフイルムパックが抜かれた状態）を検知するためのフォトインタラプタである。
【００５７】
また、メイン基板部１００には、カムスイッチ４０４が接続されている。このカムスイッチ４０４は、このプリンタ１の搬送機構における初期位置をモニタするためのスイッチである。
【００５８】
さらに、メイン基板部１００には、ＭＰＵ１０１からの制御を受けて直流モータ４０６を駆動するためのモータ駆動部１１７が備えられている。
【００５９】
図６は、インスタントフイルムシートの露光面を示す斜視図、図７は、インスタントフイルムシートの観察面を示す斜視図である。
【００６０】
図６には、インスタントフイルムシート１００１の露光面１００１＿１（本発明にいう第１面に相当）が示されている。この露光面１００１＿１には、インスタントフイルムシート１００１の搬送方向先端部に配備された現像剤溜り１００１ａと、画像が露光される露光部１００１ｂと、余白部１００１ｃと、余った現像剤を吸収するトラップ部１００１ｄとが設けられている。また、図７には、インスタントフイルムシート１００１の観察面１００１＿２（本発明にいう第２面に相当）側が示されている。この観察面１００１＿２には、露光により潜像が形成され現像剤の展開を受けて顕像化された画像を観察するための観察部１００１ｅと、余白部１００１ｆが設けられている。
【００６１】
図８は、媒体搬送部を示す断面図、図９は、図８に示す媒体搬送部を露光面側からみた斜視図、図１０は、図９に示す媒体搬送部の分解斜視図である。また、図１１は、図８に示す媒体搬送部を観察面側からみた斜視図、図１２は、図１１に示す媒体搬送部の分解斜視図である。
【００６２】
媒体搬送部３０には、図９に示すようにインスタントフイルムシート１００１の両側部を挟んでそのインスタントフイルムシート１００１を搬送する一対の搬送ローラ３１，３２が備えられている。搬送ローラ３２は、図８に示すバネ部材３５で搬送ローラ３１側に付勢されている。
【００６３】
また、媒体搬送部３０には、上記一対の搬送ローラ３１，３２よりもインスタントフイルムシート１００１の搬送方向下流側に配備され、そのインスタントフイルムシート１００１を全幅に亘って挟んで現像剤溜り１００１ａを押し潰して現像剤を展開する一対の展開ローラ３３，３４が備えられている。展開ローラ３４は、バネ部材３６で展開ローラ３３側に付勢されている。さらに詳細には、一対の展開ローラ３３，３４は、その一対の展開ローラ３３，３４によるインスタントフイルムシート１００１の挟持位置が、一対の搬送ローラ３１，３２のインスタントフイルムシート１００１の挟持位置よりも観察面１００１＿２側に寸法Ａだけオフセットした位置に配備されている。これにより、インスタントフイルムシート１００１がオフセットされた寸法Ａ分だけ図８の右側に曲げられるため、現像剤溜り１００１ａからインスタントフイルムシート１００１上に現像剤を展開しながら吐出するにあたり、現像剤を所定の厚みに展延する制御を簡単に行なうことができる。
【００６４】
さらに、媒体搬送部３０には、搬送ローラ３１,３２と展開ローラ３３,３４との間に位置し、搬送されてきたインスタントフイルムシート１００１の観察面１００１＿２に当接し、搬送中のインスタントフイルムシート１００１の観察面１００１＿２を擦ることにより展開中の現像剤の展開パターンを制御する制御板３７が備えられている。この制御板３７は、一対の搬送ローラ３１，３２と一対の展開ローラ３３，３４との間をほぼ２分する位置に配備されている。このため、制御板３７は、インスタントフイルムシート１００１上の、一対の搬送ローラ３１，３２と一対の展開ローラ３３，３４との間における現像剤を、それら搬送ローラ３１，３２;展開ローラ３３，３４それぞれに対して均等に制御することができる。また、制御板３７は、図１０に示すように、その制御板３７の、インスタントフイルムシート１００１の搬送方向と直交する部分の断面形状が緩やかな円弧状に形成されている。このため、インスタントフイルムシート１００１との接触が、そのインスタントフイルムシート１００１の中央部にのみ集中することが防止されて、現像剤が均一に行き渡るように制御することができる。
【００６５】
また、媒体搬送部３０には、制御板３７と展開ローラ３３，３４との間に位置し、搬送されてきたインスタントフイルムシート１００１を展開ローラ３３，３４に導く誘い板３８が備えられている。この誘い板３８は、図１２に示すように、その誘い板３８の、インスタントフイルムシート１００１の搬送方向と直交する中央部および両端部の断面形状がこの図１２の上方に向けて延びる形状に形成されている。このため、搬送ローラ３１，３２で搬送されてきたインスタントフイルムシート１００１を展開ローラ３３，３４に簡単に且つ精度よく導くことができる。
【００６６】
さらに、媒体搬送部３０には、展開ローラ３３，３４よりも下流側において観察面１００１＿２に対してインスタントフイルムシート１００１を露光面１００１＿１側に傾けるフイルムガイドフレーム３９（本発明にいうガイド部の一例に相当）が備えられている。これにより、インスタントフイルムシート１００１は、制御板３７による露光面１００１＿１への当接と相俟ってＳ字状に曲げられるため、現像剤をより均一に展開することができる。
【００６７】
また、図８には、前述した画像書込部３００およびインスタントフイルムシート１００１が複数枚積層されるインスタントフイルムパック２５が示されている。インスタントフイルムパック２５内のインスタントフイルムシート１００１のうちの、プリンタ１の一番上面側にあるインスタントフイルムシート１００１が爪２４（図４参照）で押し上げられて、上述した媒体搬送部３０で搬送されながら画像書込部３００で画像が書き込まれる。
【００６８】
本実施形態のプリンタ１は、搬送ローラ３１，３２で搬送されてきたインスタントフイルムシート１００１を展開ローラ３３，３４に誘い板４０で導くものであるため、搬送されてきた、露光面１００１＿１に膨らんだ現像剤溜り１００１ａを持つインスタントフイルムシート１００１を、展開ローラ３３，３４に簡単に且つ精度よく導くことができる。従って、展開ローラ３３，３４でインスタントフイルムシート１００１の現像剤溜り１００１ａが十分に押し潰されてインスタントフイルムシート１００１上に展開する。さらに、インスタントフイルムシート１００１上に展開された現像剤は、観察面１００＿２に当接した制御板３７で擦られるとともに、フイルムガイドフレーム３９でインスタントフイルムシート１００１がＳ字状に曲げられるため、少量の現像剤であっても、その現像剤をインスタントフイルムシート１００１全体に亘り均一に展開することができる。
【図面の簡単な説明】
【００６９】
【図１】本発明の一実施形態のプリンタを、斜め前方から見た斜視図である。
【図２】図１に示すプリンタにおいて、カメラ付き携帯電話からの画像データに基づいて画像が記録されたインスタントフイルムシートが排出される様子を示す図である。
【図３】図１に示すプリンタの下面側を斜め上方から見た斜視図である。
【図４】図３に示すプリンタの、フイルムドアが開けられた状態の斜視図である。
【図５】プリンタ内部の制御系統を示す構成ブロック図である。
【図６】インスタントフイルムシートの露光面を示す斜視図である。
【図７】インスタントフイルムシートの観察面を示す斜視図である。
【図８】媒体搬送部を示す断面図である。
【図９】図８に示す媒体搬送部を露光面側からみた斜視図である。
【図１０】図９に示す媒体搬送部の分解斜視図である。
【図１１】図８に示す媒体搬送部を観察面側からみた斜視図である。
【図１２】図１１に示す媒体搬送部の分解斜視図である。
【符号の説明】
【００７０】
１  プリンタ
１ａ  筐体
２  カメラ付き携帯電話
１１  電源スイッチ（電源ＳＷ）
１２  リピートスイッチ（リピートＳＷ）
１３  カウンタ
１４  送受信部
１５  電源用ＬＥＤ
１６  通信エラー用ＬＥＤ
１７  ローバッテリ表示用のＬＥＤ
１８  フイルムドア開放スイッチ
１ｂ  ストラップ取付部
１９  送出口
２０  フイルムドア
２０ａ  パック在否確認窓
２０ｂ,２０ｃ  バネ部材
２１  電池蓋
２２  媒体装填室
２３  搬送ローラ
２４  爪（クロー）
２５  インスタントフイルムパック
３０  媒体搬送部
３１,３２  搬送ローラ
３３,３４  展開ローラ
３５，３６  バネ部材
３７  制御板
３８  誘い板
３９  フイルムガイドフレーム
１００  メイン基板部
１０１  ＭＰＵ
１０２，１１３  発振子
１０３  リセット回路
１０４  フラッシュメモリ
１０５  ＳＤＲＡＭ
１０６，１０７  電源部
１０８  ＤＣ／ＤＣコンバータ
１０９  電源制御部
１１０  ＢＣ部
１１１  ＴＰＧ部
１１２  温度検出部
１１４  ＩｒＤＡ／ＬＣＳ制御部
１１５  ヘッドＬＥＤ駆動部
１１６  ＰＩ駆動部
１１７  モータ駆動部
２００  サブ基板部
２０１  表示用ＬＥＤ部
３００  画像書込部
３０１  光ヘッド部
３０２，３０３  フレキシブルケーブル
３０４,３０５,３０６  発光素子（ＬＥＤ）
４０１  ＦＰＩ部
４０２  ＥＮＣＰＩ部
４０３  ＣＯＵＮＴＰＩ部
４０４  カムスイッチ
４０５  ＩｒＤＡ送受信部
４０６  直流モータ
４０７  一次電池
１００１  インスタントフイルムシート
１００１＿１  露光面
１００１＿２  観察面
１００１ａ  現像溜まり
１００１ｂ  露光部
１００１ｃ，１００１ｆ  余白部
１００１ｄ  トラップ部
１００１ｅ  観察部
【図１】
2005288962.tif 000003
【図２】
2005288962.tif 000004
【図３】
2005288962.tif 000005
【図４】
2005288962.tif 000006
【図５】
2005288962.tif 000007
【図６】
2005288962.tif 000008
【図７】
2005288962.tif 000009
【図８】
2005288962.tif 000010
【図９】
2005288962.tif 000011
【図１０】
2005288962.tif 000012
【図１１】
2005288962.tif 000013
【図１２】
2005288962.tif 000014